(57)【要約】【課題】  分解・組立が可能でコンパクトで低廉に運搬することができ、１段毎の水平面内でのごみの分別も自在にできる積上げ式ごみ収納棚を提供することを目的とする。【解決手段】  多数の鋲部材５が設置された水平フレーム３を、適宜の長さを有する鉛直状の連結脚６Ａ、６Ｂ、６Ｃにより複数段に積み上げて構成するとともに、前記水平フレーム３に設置された多数の鋲部材５のいくつかを選択使用してごみ袋の上縁部の周囲を係止バンド１２により鋲部材５との間にて挟持するように構成したことにより、分解してのコンパクトな運搬が可能でありながら、連結脚６により水平フレーム３を多段に積み上げることで、ごみ袋を吊り下げるための水平フレーム３が容易に多数積層され、ごみの分別が多種類にわたり可能となる上、１段毎の水平フレーム３についても、多数の鋲部材５のいくつかを選択使用して、複数のごみ袋を係止できる。【選択図】  図１
2006298594.tif 000002
【特許請求の範囲】
【請求項１】
平面視で所定形状の周辺部のみから構成され所定間隔で多数の鋲部材が設置された水平フレームを、適宜の長さを有する鉛直状の連結脚により複数段に積み上げて構成するとともに、前記水平フレームに設置された多数の鋲部材のいくつかを選択使用してごみ袋の上縁部の周囲を係止バンドにより鋲部材との間にて挟持するように構成したことを特徴とする積上げ式ごみ収納棚。
【請求項２】
前記多段に積み上げられた水平フレームの最上段のものの周囲に、カーテンレールを付設したことを特徴とする請求項１に記載の積上げ式ごみ収納棚。
【請求項３】
前記多段に積み上げられた水平フレームの最下段のものまたは連結脚の下端部にキャスタを装着したことを特徴とする請求項１または２に記載の積上げ式ごみ収納棚。
【請求項４】
前記多段に積み上げられた水平フレームの最上段のものを物置き台を兼用する天板としたことを特徴とする請求項１から３のいずれかに記載の積上げ式ごみ収納棚。
【請求項５】
前記水平フレームの周辺部に連結脚が配置されたことを特徴とする請求項１から４のいずれかに記載の積上げ式ごみ収納棚。
【請求項６】
前記水平フレームの中央部に連結脚が配置されたことを特徴とする請求項１から４のいずれかに記載の積上げ式ごみ収納棚。
【発明の詳細な説明】
【技術分野】
【０００１】
本発明は、平面視で所定形状の周辺部のみから構成された水平フレームを、適宜の長さを有する鉛直状の連結脚により複数段に積み上げて構成した積上げ式ごみ収納棚に関するものである。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そのようなことから、小さな事業所や家庭等でも使用できる比較的小さなごみ箱を利用してごみの分別を行うものとして、リサイクル用区別ごみ箱なるものが提案された（１例として下記特許文献１参照）。
【特許文献１】特開平１１−１９３１０１号公報（請求項１および図１、２参照）
【発明の開示】
【発明が解決しようとする課題】
【０００３】
前記特許文献１に開示されたリサイクル用区別ごみ箱並は、図５に示すように、燃えるごみと燃えないごみを分別するために、両者の間に仕切りを設け、どちらかに目印を付けたり、色分けをした区別ごみ箱３１を最小の単位とし、リサイクル用空缶箱３２、リサイクル用ペットボトル箱３３、リサイクル用空ビン箱３４、リサイクル用牛乳パック３５やリサイクル用新聞箱３６を必要に応じて自由自在に組み合わせるようにしたもので、効率よくリサイクル資源とごみとを分別し、かつそれぞれを細かく分類して処理することができるようにした。ところが、このようなごみ箱では、ごみの種類に応じた多数のごみ箱を多段に積層して空間を有効に活用でき、少ないスペースでごみの分別が可能となったものの、多数の箱状体が多くの空間を占有するため、製品として嵩張り、運搬費用のコスト高を招く他、１段毎の水平面内でのごみの分別が充分とは言えず、今後に到来する多種類のごみの分別には依然として対応しきれない虞れがあった。
【０００４】
そこで本発明は、前記従来の分別用ごみ箱の諸課題を解決して、分解・組立が可能でコンパクトで低廉に運搬することができ、１段毎の水平面内でのごみの分別も自在にできる積上げ式ごみ収納棚を提供することを目的とする。
【課題を解決するための手段】
【０００５】
そのため本発明は、平面視で所定形状の周辺部のみから構成され所定間隔で多数の鋲部材が設置された水平フレームを、適宜の長さを有する鉛直状の連結脚により複数段に積み上げて構成するとともに、前記水平フレームに設置された多数の鋲部材のいくつかを選択使用してごみ袋の上縁部の周囲を係止バンドにより鋲部材との間にて挟持するように構成したことを特徴とする。また本発明は、前記多段に積み上げられた水平フレームの最上段のものの周囲に、カーテンレールを付設したことを特徴とする。また本発明は、前記多段に積み上げられた水平フレームの最下段のものまたは連結脚の下端部にキャスタを装着したことを特徴とする。また本発明は、前記多段に積み上げられた水平フレームの最上段のものを物置き台を兼用する天板としたことを特徴とする。また本発明は、前記水平フレームの周辺部に連結脚が配置されたことを特徴とする。また本発明は、前記水平フレームの中央部に連結脚が配置されたことを特徴とするもので、これらを課題解決のための手段とするものである。
【発明の効果】
【０００６】
本発明では、平面視で所定形状の周辺部のみから構成され所定間隔で多数の鋲部材が設置された水平フレームを、適宜の長さを有する鉛直状の連結脚により複数段に積み上げて構成するとともに、前記水平フレームに設置された多数の鋲部材のいくつかを選択使用してごみ袋の上縁部の周囲を係止バンドにより鋲部材との間にて挟持するように構成したことにより、分解してのコンパクトな運搬が可能でありながら、連結脚により水平フレームを多段に積み上げることで、ごみ袋を吊り下げるための水平フレームが容易に多数積層され、ごみの分別が多種類にわたり可能となる上、１段毎の水平フレームについても、多数の鋲部材のいくつかを選択使用して、複数のごみ袋を係止することで、さらにごみの分別の種類を増大させることが可能となる。
【０００７】
また、前記多段に積み上げられた水平フレームの最上段のものの周囲に、カーテンレールを付設した場合は、積み上げて構成されたごみ収納棚の周囲をカーテンで覆うことができて、ごみ袋内に収納廃棄されたごみを目隠しして見栄えがよい。さらに、前記多段に積み上げられた水平フレームの最下段のものまたは連結脚の下端部にキャスタを装着した場合は、必要に応じてごみ収納棚全体を容易に移動することができ、ごみ収納棚の位置を変更したり、ごみの収集場所に移動させることが可能となる。
【０００８】
さらにまた、前記多段に積み上げられた水平フレームの最上段のものを物置き台を兼用する天板とした場合は、最上段を粗大ごみや新聞・雑誌等の物置台として使用できるので、さらに有効なごみの分別を可能とする。また、前記水平フレームの周辺部に連結脚が配置された場合は、水平フレームの周辺部に複数の連結脚を配置して強固な積層構造物を構成することが可能となる。                                                    
【０００９】
さらに、前記水平フレームの中央部に連結脚が配置された場合は、幾分の強度低下はあるものの、中央部に配置された連結脚の周囲には比較的フリーな空間を創出できるので、多数のごみ袋を水平フレームに取り付ける際には、そのアプローチが容易となる。
【発明を実施するための最良の形態】
【００１０】
以下、本発明の実施例を図面に基づいて詳細に説明する。図１は本発明の積上げ式ごみ収納棚の第１実施例を示すもので、分解された全体斜視図、図２は水平フレームへのごみ袋の取付け状態を示す説明図、図３は本発明の積上げ式ごみ収納棚の第２実施例を示すもので、最上段の水平フレームにおける連結ねじの処理形態を示す斜視図、図４は本発明の積上げ式ごみ収納棚の第３実施例を示すもので、最下段近傍の要部斜視図である。
【実施例１】
【００１１】
本発明の基本的な構成は、図１の第１実施例に示すように、平面視で所定形状の周辺部のみから構成され所定間隔で多数の鋲部材５が設置された水平フレーム３を、適宜の長さを有する鉛直状の連結脚６により複数段に積み上げて構成するとともに、前記水平フレーム３に設置された多数の鋲部材５のいくつかを選択使用してごみ袋の上縁部の周囲を係止バンド１２により鋲部材５との間にて挟持するように構成したことを特徴とする。
【００１２】
図１に示すように、本実施例では、平面視で所定形状（図示の例では正方形であるが、長方形、円形、楕円形、多角形等適宜形状が採用され得る）の周辺部のみから構成された水平フレーム３には、所定間隔で多数の鋲部材５が設置される。鋲部材５は、径大部の頭部と径小の軸部とから構成され、軸部の途中にはストッパフランジ部５Ｂが形成される。したがって、頭部とストッパフランジ部５Ｂとの間の軸部は、係止溝部５Ａとして機能する。水平フレーム３の上面（側面や下面を排除するものではない）に所定間隔で多数設けられた鋲孔４に、鋲部材５の下端軸部が挿入設置される。図面では多数の鋲孔４のみが示されて鋲部材５の図示は省略されている。
【００１３】
正方形の水平フレーム３の４隅には、やや大きな面積の隅部９が形成され、該隅部９には埋込みナット８が埋設される。水平フレーム３を多段に積層して積み上げるには、上下の水平フレーム３、３の４隅間に介設される適宜長さの鉛直状の連結脚６により連結して接続する。連結脚６は、例えば、最下段のもの６Ａが最も長く、中段のもの６Ｂを中程度に、最上段のもの６Ｃが最も短く構成されている。各連結脚６の上端部には連結ねじ７が埋め込まれており、これらの連結ねじ７を水平フレーム３の４隅の前記埋込みナット８にねじ込むことによって、連結ねじ７の上部が露呈する。この露呈した連結ねじ７の上部に配設される連結脚６の下部が連結される。その連結は、連結脚６の下部に埋設されたナット（図示省略）に連結ねじ７の上部が螺合されることでなされる。
【００１４】
最上段の連結脚６Ｃの上端部の連結ねじ７は、板状の天板１の下部の４隅に埋設されたナット（図示省略）に螺合される。天板１の周囲にはカーテンレール２が設置される。このカーテンレール２には多数の吊り金具を介してカーテンが吊り下げられる。水平フレーム３に取り付けられたごみ袋に収納廃棄されたごみの目隠しが行える。最下段の連結脚６Ａの下端部には、キャスタ１０が螺合される。符号１１は水平状の補強桟を示し、隣接する連結脚６Ａ、６Ａの下端部近傍同士を連結して補強するものである。最上段のものを天板１としたことによって、粗大ごみや新聞・雑誌等の物置台として使用できるので、さらに有効なごみの分別を可能とする。
【００１５】
このようにして積み上げられたごみ収納棚の各水平フレーム３には、図２に示すようにして、ごみ袋２０が取り付けられて吊り下げられる。水平フレーム３の上面の多数の鋲孔４（図１）に挿入設置された鋲部材５、５・・・の適宜のものを選択使用して、ごみ袋２０の上端部を係止する。大きなごみ袋２０の場合は、水平フレーム３の全周の鋲部材５を用いてもよい。水平フレーム３内に挿入されたごみ袋２０の上縁部を折り返して、全周の鋲部材５を使用して各鋲部材５における係止溝部５Ａに添設し、ここに係止バンド１２を張設する。係止バンド１２は、図１の天板１上に示すように、図面右側の無端状のゴムバンド１２から構成してもよいし、図面左側のように水平フレーム３の平面視形状に適合するように、略直角の隅部を構成する硬質部材１３と硬質部材１３、１３間を連結するスプリング等の弾性部材１４とから構成してもよい。
【００１６】
これらの係止バンド１２によって、ごみ袋２０の折り返えされた上縁部を、各鋲部材５における係止溝部５Ａとの間で挟持して係止することで、ごみ袋２０内に投入廃棄されたごみが蓄積されても強固にごみ袋２０を保持することが可能となる。図２の２０’に示すように、ごみ袋２０’の袋径が小さい場合には、鋲部材５の一部を選択使用してこれらの係止溝部５Ａとの間でごみ袋２０’の折り返えされた上縁部を係止バンド１２にて挟持して係止する。残りの鋲部材５群には別のごみ袋が係止される。
【実施例２】
【００１７】
図３は本発明の積上げ式ごみ収納棚の第２実施例を示すもので、最上段の水平フレームにおける連結ねじの処理形態を示す斜視図である。図は最上段の水平フレーム３を示している。最上段の水平フレーム３の上には連結脚６は連結されないので、最上段の連結脚６ｎの上端部の連結ねじ７が水平フレーム３の４隅の上部に露呈する。したがって、露呈した連結ねじ７によって手指等を損傷しないように、連結ねじ７に螺合する袋ナット１５やゴムキャップ１６等を被覆させるものである。最上段の水平フレーム３の上面の各鋲孔４にはそれぞれ鋲部材５（図１）が挿入設置され、ごみ袋２０が吊り下げられる。
【実施例３】
【００１８】
図４は本発明の積上げ式ごみ収納棚の第３実施例を示すもので、最下段近傍の要部斜視図である。最下段の水平フレームは鋲部材５を設置できないので、底フレーム１７として配設される。底フレーム１７は平面視で長方形状（前記第１実施例のものと同様に適宜形状が採用され得る）の各隅部から延びた放射枠１８の中央交差部に中央台座１９が形成され、該中央台座１９に鉛直状に連結脚６Ａが螺合立設される。該中央の連結脚６Ａの上部には、平面視方形形状の水平フレーム３が積み上げられる。該水平フレーム３の中間部には横架枠２１が横架される。横架枠２１の中央部には埋込みナット８が埋設され、該埋込みナット８に前記連結脚６Ａの上端部に設置された連結ねじ７が螺合される。
【００１９】
連結ねじ７の上部は水平フレーム３の上面から露呈し、該連結ねじ７の上部には積み重ねられるべき連結脚６Ｂの下端部が螺合される。無論、連結脚６Ｂの下端部には連結ねじ７に螺合されるナットが埋設されている。順次、水平フレーム３が多段に積層連結されていく。水平フレーム３の上面には、前記横架枠２１の両縁も含めて多数の鋲孔４が形成されており、これらに鋲部材５が挿入設置される。本実施例では、中央部に連結脚が配置されているので幾分の強度低下はあるものの、中央部に配置された連結脚６の周囲には比較的フリーな空間を創出できるので、多数のごみ袋２０を水平フレーム３に取り付ける際には、そのアプローチが容易となる。
【００２０】
以上、本発明の実施例について説明してきたが、本発明の趣旨の範囲内にて、水平フレームの形状（平面視形状として正方形、長方形、円形、楕円形、多角形等）、形式および材質（木材、プラスチック、軽金属、鋼材等の金属等、第１実施例の周辺部のみの形状として、周辺部構成部材のみならず、鋲部材を配設した交差枠や横架枠等を設置してもよい）、連結脚の形状（断面形状として、円形、角形、多角形）、形式および水平フレーム、天板、底フレームとの連結形態（水平フレームに埋設したナットへの連結脚に設置した連結ねじの螺合の他、適宜のワンタッチ連結形態）ならびに長さ（各長さを等しくしても、順次上部のものほど短くしてもよい）、鋲部材の形状（径大部と径小部との交互形成の他、係止溝部が形成されるものであれば瓢箪形状等適宜のものが採用され得る）、形式および材質（木材、プラスチック、軽金属、鋼材等の金属等）、積み上げるべき水平フレームの段数、係止バンドの形状、形式および材質（無端ゴムバンドや硬質部材と弾性部材との交互構成、無端スプリング等）、カーテンレールの形状、形式、キャスタの形状、形式および連結脚、底フレームへの装着形態等については適宜選定できる。
【図面の簡単な説明】
【００２１】
【図１】本発明の積上げ式ごみ収納棚の第１実施例を示すもので、分解された全体斜視図である。
【図２】水平フレームへのごみ袋の取付け状態を示す説明図である。
【図３】本発明の積上げ式ごみ収納棚の第２実施例を示すもので、最上段の水平フレームにおける連結ねじの処理形態を示す斜視図である。
【図４】本発明の積上げ式ごみ収納棚の第３実施例を示すもので、最下段近傍の要部斜視図である。
【図５】従来のリサイクル用区別ごみ箱の説明図である。
【符号の説明】
【００２２】
１      天板
２      カーテンレール
３      水平フレーム
４      鋲孔
５      鋲部材
５Ａ      係止溝部
５Ｂ      ストッパフランジ
６      連結脚
７      連結ねじ
８      埋込みナット
９      隅部
１０      キャスタ
１１      補強桟
１２      係止バンド
【図１】
2006298594.tif 000003
【図２】
2006298594.tif 000004
【図３】
2006298594.tif 000005
【図４】
2006298594.tif 000006
【図５】
2006298594.tif 000007